【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
対象に呼吸可能な気体の加圧フローを断続的に運ぶことによって、呼吸補助を供給するベンチレーションシステムであって、前記システムは、
前記対象の気道に運ぶための呼吸可能な気体の加圧フローを生成する圧力生成器と、
前記対象の気道開口の中に少なくとも部分的に、且つ、解放可能なように受けられるインタフェース装置であって、前記対象の気道に対して、前記圧力生成器によって生成された前記呼吸可能な気体の加圧フローを運ぶ前記インタフェース装置と、
前記対象が前記インタフェース装置を通じて前記呼吸可能な気体の加圧フローを受ける準備ができているかどうかを示す情報を伝達する出力信号を生成する１又は複数のセンサであって、前記インタフェース装置の物理的位置を示す情報を伝達する出力信号を生成する物理的位置センサを含む前記１つ又は複数のセンサと、
１又は複数のコンピュータプログラムモジュールを実行する１又は複数のプロセッサと、
を有し、
前記コンピュータプログラムモジュールは、
前記対象が前記呼吸可能な気体の加圧フローを受ける準備ができているかどうかを決定するデリバリートリガモジュールと、
前記対象が前記呼吸可能な気体の加圧フローを受ける準備ができているかどうかに関する前記デリバリートリガモジュールによる決定に基づいて、前記インタフェース装置を通じて前記対象の気道に前記呼吸可能な気体の加圧フローを運ぶことを開始及び／又は終了する制御モジュールであって、前記対象の換気を行なうように設計された処方治療レジメンに基づいて、前記呼吸可能な気体の加圧フローの１又は複数のパラメータを調整するように前記圧力生成器を制御する前記制御モジュールと、
を有する、ベンチレーションシステム。
【請求項２】
前記デリバリートリガモジュールが、前記インタフェース装置が前記対象の前記気道開口において適所にあるかどうかを決定し、前記対象の前記気道開口において適所にある前記インタフェース装置が、前記呼吸可能な気体の加圧フローを受ける準備ができている前記対象のための必要条件であるように構成される、請求項１記載のベンチレーションシステム。
【請求項３】
前記デリバリートリガモジュールが、前記対象が、前記インタフェース装置を通じて呼気努力をしたかどうかを決定し、前記対象の口及び／又は舌の運動に基づいて、あるいは、前記対象の横隔膜の努力によって、前記呼吸可能な気体の加圧フローを受ける準備ができているかどうかを決定する、請求項２記載のベンチレーションシステム。
【請求項４】
前記制御モジュールが、前記対象が呼気努力をするより前に、前記呼吸可能な気体の加圧フローの供給を開始する、又は、前記治療レジメンによって特定される閾値時間を超える２つの連続的な供給を開始する、請求項３記載のベンチレーションシステム。
【請求項５】
前記制御モジュールが、前記インタフェース装置が、前記対象の気道に対して、所定のボリューム又は所定の圧力の前記呼吸可能な気体を供給するように、前記呼吸可能な気体の加圧フローの前記１又は複数のパラメータを調整する、請求項１記載のベンチレーションシステム。
【請求項６】
対象に呼吸補助を供給するために、圧力生成器、インタフェース装置、前記インタフェース装置の物理的位置を示す情報を伝達する出力信号を生成する物理的位置センサを含む１又は複数のセンサ、及び、１又は複数のコンピュータプログラムモジュールを実行する１又は複数のプロセッサを有するベンチレーションシステムを制御する方法であって、前記方法は、
前記１又は複数のセンサからの出力信号に基づいて、前記対象が前記圧力生成器によって生成された呼吸可能な気体の加圧フローを前記インタフェース装置を通じて受ける準備ができているかどうかを決定し、前記決定は、前記物理的位置センサからの出力信号に基づいて、前記インタフェース装置の物理的位置を決定することを含む、
前記対象を換気するように設計された治療レジメンによって処方されるように、前記対象の気道に前記呼吸可能な気体の加圧フローを運ぶ、方法。
【請求項７】
前記対象が前記呼吸可能な気体の加圧フローを受ける準備ができているかどうかを決定することが、前記インタフェース装置が前記対象の気道開口における適所にあるかどうかを決定することを有する、請求項６記載の方法。
【請求項８】
前記方法が、前記対象が、前記インタフェース装置を通じて呼気努力をしたかどうかを決定し、口及び／又は舌の運動、あるいは、前記対象の横隔膜の努力に基づいて、前記呼吸可能な気体の加圧フローを受ける準備ができているかどうかを決定する、請求項７記載の方法。
【請求項９】
前記呼吸可能な気体の加圧フローの供給が、前記対象が呼気努力をするより前に開始され、又は、前記治療レジメンによって特定される閾値時間を超える２つの連続的な供給が開始される、請求項８記載の方法。
【請求項１０】
前記コンピュータプログラムモジュールが、前記インタフェース装置が、前記対象の気道に対して、所定のボリューム又は所定の圧力の前記呼吸可能な気体を供給するように、前記呼吸可能な気体の加圧フローの１又は複数のパラメータを調整する制御モジュールを有する、請求項６記載の方法。
【請求項１１】
対象に呼吸可能な気体の加圧フローを断続的に運ぶことによって、呼吸補助を供給するためのシステムであって、前記システムは、
前記対象の気道に運ぶための前記呼吸可能な気体の加圧フローを生成するための手段と、
前記対象の気道開口の中に少なくとも部分的に、且つ、解放可能なように受けられる、前記対象の気道に対して、前記呼吸可能な気体の加圧フローを運ぶための手段と、
前記対象が前記呼吸可能な気体の加圧フローを運ぶための前記手段を通じて前記呼吸可能な気体の加圧フローを受ける準備ができているかどうかを示す情報を伝達する出力信号を生成する手段であって、前記呼吸可能な気体の加圧フローを運ぶための手段の物理的位置を示す情報を伝達する出力信号を生成する物理的位置手段を含む、前記出力信号を生成する手段、
前記対象が前記呼吸可能な気体の加圧フローを受ける準備ができているかどうかを決定するための手段と、
前記対象が前記呼吸可能な気体の加圧フローを受ける準備ができているかどうかに関する前記決定に基づいて、前記対象が前記呼吸可能な気体の加圧フローを運ぶための前記手段を通じて前記対象の気道に前記呼吸可能な気体の加圧フローを運ぶことを開始及び／又は終了するための手段と、
前記対象の換気を行なうように設計された処方治療レジメンに基づいて、前記呼吸可能な気体の加圧フローの１又は複数のパラメータを調整するように前記呼吸可能な気体の加圧フローを生成するための前記手段を制御するための手段と、
を有する、システム。
【請求項１２】
前記対象が前記呼吸可能な気体の加圧フローを受ける準備ができているかどうかを決定するための前記手段が、前記呼吸可能な気体の加圧フローを運ぶための前記手段が、前記対象の気道開口における適所にあるかどうかを決定し、前記対象の前記気道開口において適所にある前記呼吸可能な気体の加圧フローを運ぶための前記手段が、前記呼吸可能な気体の加圧フローを受ける準備ができている前記対象のための必要条件であるように構成される、請求項１１記載のシステム。
【請求項１３】
前記対象が前記呼吸可能な気体の加圧フローを受ける準備ができているかどうかを決定するための前記手段が、前記対象が、前記呼吸可能な気体の加圧フローを運ぶための前記手段を通じて呼気努力をしたかどうかを決定し、前記対象の口及び／又は舌の運動に基づいて、あるいは、前記対象の横隔膜の努力によって、前記呼吸可能な気体の加圧フローを受ける準備ができているかどうかを決定する、請求項１２記載のシステム。
【請求項１４】
前記対象の気道に特定の量の前記呼吸可能な気体を運ぶことを開始及び／又は終了するための前記手段が、前記対象が呼気努力をするより前に、前記呼吸可能な気体の加圧フローの供給を開始する、又は、前記治療レジメンによって特定される閾値時間を超える２つの連続的な供給を開始する、請求項１３記載のシステム。
【請求項１５】
前記呼吸可能な気体の加圧フローを生成するための前記手段が、前記呼吸可能な気体の加圧フローを運ぶための前記手段が、前記対象の気道に対して、所定のボリューム又は所定の圧力の前記呼吸可能な気体を供給するように、前記呼吸可能な気体の加圧フローの前記１又は複数のパラメータを調整する、請求項１１記載のシステム。